(57)【要約】【課題】  電池電圧の変化量を使用環境温度に応じた値になるようにしたバッテリ終止検出装置、バッテリ終止検出方法、およびプログラムの提供【解決手段】  基準環境温度（２５℃）では、バイアス抵抗Ａと、抵抗値が温度に依存するサーミスタＴＨおよびバイアス抵抗Ｂとによって生ずるバイアス電圧Ｖｂと電圧検出器１９の検出させたいドロップ変化量分低い電圧検出値Vdetの差分「Ｖｂ−Vdet」にカップリングコンデンサ１６を介して取り出されたドロップ電圧の変化量が達すると、マイコン４０は電源終止部６０に信号を送って機器への電源電圧の供給を終止させる。低温環境の場合はサーミスタＴＨの抵抗値が上がるため、ドロップ電圧の検出変化量「Ｖｂ−Vdet」の幅が拡大するので、低温環境下でも温度に応じた終止電圧を検出することができる。【選択図】  図１
2007157665.tif 000002
【特許請求の範囲】
【請求項１】
バッテリ駆動電源装置におけるバッテリ終止検出装置であって、
温度に応じた電源の電圧ドロップ検出値を設定する許容値設定手段と、
バッテリ電源電圧のバイアス抵抗部の抵抗値を温度に応じて変化させる抵抗値制御手段と、
前記抵抗値制御手段による変化後のバイアス抵抗部の抵抗値を検出する抵抗値検出手段と、
前記抵抗値検出手段によって検出された抵抗値が前記電圧ドロップ検出値に達したとき、前記バッテリ電源の供給を終止させる電源供給終止手段と、
を備えたことを特徴とするバッテリ終止検出装置。
【請求項２】
前記抵抗値制御手段は、温度に依存して抵抗値が変化する温度依存抵抗部材であり、前記バイアス抵抗部は直列に配設された複数のバイアス抵抗部材と前記温度依存型抵抗部材からなることを特徴とする請求項１に記載のバッテリ終止検出装置。
【請求項３】
更に、温度を検出する温度検出手段を備え、
前記抵抗値制御手段は、前記バイアス抵抗部において直列に配設されている複数のバイアス抵抗部材の接続を前記温度検出手段によって検出された温度に応じて切替える切替スイッチを有することを特徴とする請求項１に記載のバッテリ終止検出装置。
【請求項４】
更に、前記切替えスイッチのオンオフ制御を行うスイッチ制御手段と、前記温度計測手段によって計測された温度値にスイッチのオン／オフ値を対応付けたスイッチ制御情報記憶手段とを備え、
前記スイッチ制御手段は、前記温度計測手段によって計測された温度値に対応するスイッチのオン／オフ値を前記スイッチ制御情報記憶手段から取り出して前記切替えスイッチのオンオフ制御を行うことを特徴とする請求項３に記載のバッテリ終止検出装置。
【請求項５】
バッテリ駆動電源装置におけるバッテリ終止検出方法であって、
温度に応じた電源の電圧ドロップ検出値を設定するステップと、
バッテリ電源電圧のバイアス抵抗部の抵抗値を温度に応じて変化させるステップと、
温度による変化後のバイアス抵抗部の抵抗値を検出するステップと、
検出された抵抗値が前記設定された電圧ドロップ検出値に達したとき、前記バッテリ電源の供給を終止させるステップと、
を備えたことを特徴とするバッテリ終止検出方法。
【請求項６】
バッテリ駆動電源装置のコンピュータに、
温度に応じた電源の電圧ドロップ検出値を設定する機能と、
バッテリ電源電圧のバイアス抵抗部の抵抗値を温度に応じて変化させる機能と、
温度による変化後のバイアス抵抗部の抵抗値が前記設定された電圧ドロップ検出値に達したとき、前記バッテリ電源の供給を終止させる機能と、
を実行するプログラム。
【発明の詳細な説明】
【技術分野】
【０００１】
本発明は、単三電池等のバッテリの終止検出装置に関する。
【背景技術】
【０００２】
デジタルカメラ等のようなバッテリ駆動の半導体メモリを有するパーソナル機器では一般的にサブマイコンでバッテリの状態を観察し、機器のパワーオン／オフを制御している。また、単三電池駆動仕様の機種では図６に示す単三電池駆動電源装置３００のように電池の電圧ドロップ（変化量）を検出する回路（電源ドロップ検出回路３０）を有する電源装置を備え、負荷変動により突発的に静止電圧以下に割り込む電圧ドロップが発生した際、パワーオフさせる制御を行っているものもある。
【０００３】
図６は単三電池駆動電源装置の従来例を示す図であり、点線枠内の部分が従来の電圧ドロップ検出回路３０を構成しており、電圧ドロップ検出回路３０において、記号１１は理想電圧源（EVCC3.3）とグランドの間に設けられたバイアス抵抗Ａ、記号１２はバイアス抵抗Ｂ、記号１６はカップリングコンデンサ、記号１９は電圧検出器、記号Ｖａはバイアス抵抗Ａとバイアス抵抗Ｂによって点ｊに与えられるバイアス電圧を示す。  
基準環境温度（２５℃）では、バイアス抵抗Ａとバイアス抵抗Ｂによって点ｊにバイアス電圧Ｖａが与えられる。また、電圧ドロップ検出値は上記バイアス電圧Ｖａと、電圧検出器１９の検出させたい変化量分低い検出電圧Vdetとの差分「Ｖａ−Vdet」で設定される。  
カップリングコンデンサ１６を介して取り出されたドロップ電圧の変化量が「Ｖａ−Vdet」に達すると電圧検出器１９がそれを検知して信号をマイクロコンピュータ（以下、マイコン）４０に送り、マイコン４０はＬＤＯ（Low Drop Out）６１を含む電源終止部６０にパーソナル機器への電源電圧の供給を終止させる。
【０００４】
一方、使用温度環境が低温時の場合は低温での特性劣化によって、負荷変動時のドロップ量が大きくなるが、電源ドロップ検出回路３０が、基準環境温度で設定した（低温時のドロップ量より小さい）ドロップ量で終止検出をしてしまうため、低温時の電池寿命が短くなるという課題があった。
【０００５】
図７は単三電池の電池放電カーブの一例を示す図であり、図７で符号１１０はＸ軸を時間Ｔ、Ｙ軸を電池電圧Ｖとしたときの基準環境温度（＋２５℃）における電池電圧の推移を示す放電カーブ、符号１２０は低温における電池電圧の推移を示す放電カーブを示す。また、記号Ｖｋは図６に示した単三電池駆動電源装置３００における終止電圧の設定値（静的負荷変動時の終止電圧）、記号Ｐは基準環境温度（＋２５℃）で設定した検出ドロップ量、記号Ｑは低温時における負荷変動字の電圧ドロップによるドロップ量（Ｑ＝Ｐ）を示す。
【０００６】
放電カーブ１１０、１２０は右肩下がりのカーブであり、時間の経過と共に放電により電池の電圧が低下する。基準環境温度の場合、電池電圧が終止電圧の設定値Ｖkに近くなったときに機器側の負荷変動により設定されたドロップ電圧の変化量Ｐ以上のドロップ量を検出すると電圧が終止電圧以下になるので単三電池駆動電源装置３００はパーソナル装置への電源供給を終止する。一方、低温時には低温での特性劣化によって放電カーブ１２０に示すように負荷変動時のドロップ量が大きくなるが、ドロップ量の値が基準環境温度用に設定されたドロップ量Ｐに等しいドロップ量Ｑのときに終止検出を行い、パーソナル装置への電源供給を終止することとなる。つまり、低温環境ではドロップ量が大きくなっても基準環境温度用に設定されたドロップ量Ｐで終止検出を行うので結果的に早い時期に終止検出がなされることになり、電池寿命が短くなる。
【０００７】
ここで、リチウムイオン２次電池の放電特性によりリチウムイオン２次電池から放電を終了するエンド電圧を設定し、リチウムイオン２次電池の使用状況に応じてエンド電圧の設定を可変して制御するエンド電圧制御部を備えることにより、低温環境使用下や充放電回数が多くなったバッテリでも、バッテリの特性によりバッテリセルから放電を終了するエンド電圧を変更して設定することにより、放電可能となる時間を延ばすようにしたバッテリ装置がある（例えば、特許文献１参照）。
【０００８】
【特許文献１】特開２００５−２６９７０８号公報
【発明の開示】
【発明が解決しようとする課題】
【０００９】
上記特許文献１に開示の技術では、低温環境使用下や充放電回数が多くなったバッテリでも、バッテリ装置側で、そのバッテリの特性によりバッテリセルから放電を終了するエンド電圧を変更して設定するので放電可能となる時間を延ばすことができる。
【００１０】
しかしながら、低温での電池電圧の特性劣化によって負荷変動時のドロップ量が大きくなった場合に図６に示したような電池駆動電源装置で電源ドロップ検出回路が基準環境温度で設定したドロップ電圧の検出変化量で終止検出を行ってしまうといった課題を解決するための具体的な解決手段、例えば、ドロップ量（つまり、電池電圧の変化量）に着目した解決方法を与えるものではない。
【００１１】
本発明は、電池電圧の変化量を使用環境温度に応じた値になるようにしたバッテリ終止検出装置、バッテリ終止検出方法、およびプログラムの提供を目的とする。
【課題を解決するための手段】
【００１２】
上記課題を解決するために、請求項１に記載の発明では、バッテリ駆動電源装置におけるバッテリ終止検出装置であって、温度に応じた電源の電圧ドロップ検出値を設定する許容値設定手段と、バッテリ電源電圧のバイアス抵抗部の抵抗値を温度に応じて変化させる抵抗値制御手段と、抵抗値制御手段による変化後のバイアス抵抗部の抵抗値を検出する抵抗値検出手段と、抵抗値検出手段によって検出された抵抗値が電圧ドロップ検出値に達したとき、バッテリ電源の供給を終止させる電源供給終止手段と、を備えたことを特徴とするバッテリ終止検出装置を提供する。
これにより、バッテリ終止検出装置は、使用温度環境に応じて電圧ドロップ検出装置におけるバイアス抵抗の抵抗値を制御して温度に応じて電圧ドロップ検出量を変化させることができるので、低温環境下でも電池の特性に応じた終止電圧を検出することができることから、電池寿命を延ばすことができる。
【００１３】
請求項２に記載の発明では、抵抗値制御手段は、温度に依存して抵抗値が変化する温度依存抵抗部材であり、バイアス抵抗部は直列に配設された複数のバイアス抵抗部材と温度依存型抵抗部材からなることを特徴とする請求項１に記載のバッテリ終止検出装置を提供する。
これにより、バイアス抵抗部に温度によって抵抗値が変化する温度依存型抵抗部材を追加したので使用環境温度に応じた終止検出が可能となり、低温環境下における電池寿命を従来より延ばすことができる。
【００１４】
請求項３に記載の発明では、更に、温度を検出する温度検出手段を備え、抵抗値制御手段は、バイアス抵抗部において直列に配設されている複数のバイアス抵抗部材の接続を温度検出手段によって検出された温度に応じて切替える切替スイッチを有することを特徴とする請求項１に記載のバッテリ終止検出装置を提供する。
これにより、バッテリ終止検出装置は使用温度環境に応じて複数の切替えスイッチを切替えて電圧ドロップ検出回路におけるバイアス抵抗の抵抗値を変化させ、温度に応じて電圧ドロップ検出量を設定することができるので、低温環境下でも電池の特性に応じた終止電圧を検出することができることから、電池寿命を延ばすことができる。
【００１５】
請求項４に記載の発明では、更に、切替えスイッチのオンオフ制御を行うスイッチ制御手段と、温度計測手段によって計測された温度値にスイッチのオン／オフ値を対応付けたスイッチ制御情報記憶手段とを備え、スイッチ制御手段は、温度計測手段によって計測された温度値に対応するスイッチのオン／オフ値をスイッチ制御情報記憶手段から取り出して切替えスイッチのオンオフ制御を行うことを特徴とする請求項３に記載のバッテリ終止検出装置を提供する。
これにより、抵抗値制御手段は検出された温度値に応じてスイッチ制御情報記憶手段を取り出して切替えスイッチのオン／オフ制御を行うことができる。
【００１６】
請求項５に記載の発明では、バッテリ駆動電源装置におけるバッテリ終止検出方法であって、温度に応じた電源の電圧ドロップ検出値を設定するステップと、バッテリ電源電圧のバイアス抵抗部の抵抗値を温度に応じて変化させるステップと、温度による変化後のバイアス抵抗部の抵抗値を検出するステップと、  検出された抵抗値が設定された電圧ドロップ検出値に達したとき、バッテリ電源の供給を終止させるステップと、を備えたことを特徴とするバッテリ終止検出方法を提供する。
これにより、バッテリ終止検出装置は使用温度環境に応じて電池電圧のバイアス抵抗の抵抗値を制御して温度に応じて電圧ドロップ検出量を変化させることができるので、低温環境下でも電池の特性に応じた終止電圧を検出することができることから、電池寿命を延ばすことができる。
【００１７】
請求項６に記載の発明では、バッテリ駆動電源装置のコンピュータに、温度に応じた電源の電圧ドロップ検出値を設定する機能と、バッテリ電源で夏のバイアス抵抗部の抵抗値を温度に応じて変化させる機能と、温度による変化後のバイアス抵抗部の抵抗値が設定された電圧ドロップ検出値に達したとき、バッテリ電源の供給を終止させる機能と、を実行するプログラムを提供する。  
これにより、バッテリ駆動電源装置は使用温度環境に応じて電池電圧のバイアス抵抗の抵抗値を制御して温度に応じて電圧ドロップ検出量を変化させることができるので、低温環境下でも電池の特性に応じた終止電圧を検出することができることから、電池寿命を延ばすことができる。
【発明の効果】
【００１８】
本発明によれば、バッテリ終止検出装置は使用温度環境に応じて電池電圧のバイアス抵抗の抵抗値を制御して温度に応じて電圧ドロップ検出量を変化させることができるので、低温環境下でも電池の特性に応じた終止電圧を検出することができることから、電池寿命を延ばすことができる。
【発明を実施するための最良の形態】
【００１９】
＜実施形態１＞  
本実施形態は図６の電圧ドロップ検出回路３０のバイアス抵抗部にサーミスタＴＨを追加することにより温度に応じた終止電圧を検出するようにした例である。サーミスタＴＨは、通常、焼結した半導体材料を成分とした大きい温度係数をもった温度依存性の高い抵抗である。
【００２０】
図１は実施形態１に係わる単三電池駆動電源装置の一実施例を示す図であり、点線枠内の部分が電圧ドロップ検出回路１０を構成している。電圧ドロップ検出回路１０において、記号１１は理想電圧源（EVCC3.3）とグランドの間に設けられたバイアス抵抗Ａ、記号１２はバイアス抵抗Ｂ、記号１６はカップリングコンデンサ、記号１７はバイアス抵抗Ａとバイアス抵抗Ｂの間に設けたサーミスタＴＨ、記号１９は電圧検出器、記号Ｖｂはバイアス抵抗ＡとサーミスタＴＨとバイアス抵抗Ｂとによって点ｊに与えられるバイアス電圧を示す。
【００２１】
基準環境温度（２５℃）では、バイアス抵抗Ａと、抵抗値が温度に依存するサーミスタＴＨとバイアス抵抗Ｂによって点ｊにバイアス電圧Ｖｂが与えられる。また、電圧ドロップ検出値は上記バイアス電圧Ｖｂと電圧検出器１９の検出させたいドロップ変化量分低い電圧検出値Vdetの差分「Ｖｂ−Vdet」で設定される。  
カップリングコンデンサ１６を介して取り出されたドロップ電圧の変化量が「Ｖｂ−Vdet」に達すると電圧ドロップ検出回路１０がそれを検知してドロップ電圧の変化量をマイコン４０に送り、マイコン４０は電源終止部６０に信号を送って機器への電源電圧の供給を終止させる。使用温度環境が低温時の場合はサーミスタＴＨの抵抗値が上がり、上記バイアス電圧Ｖｂが上がるため、ドロップ電圧の検出変化量「Ｖｂ−Vdet」の幅が拡大するので、低温環境下でも温度に応じた終止電圧を検出することができ、電池寿命を延ばすことができる。
【００２２】
上述したように、本実施形態では電圧ドロップ（変化量）を検出する電圧ドロップ回路に温度に依存して抵抗値が変化するサーミスタを追加したので使用環境温度に応じた終止検出が可能となり、低温環境下における電池寿命を従来より延ばすことができる。
【００２３】
図２は本実記形態に係わる電圧ドロップ検出回路による電圧ドロップの検出変化量温度特性を示す図であり、記号１は電圧ドロップの検出変化量温度特性カーブ、記号２は電圧検出器１９の電圧検出値、記号３は低温時のドロップ量、記号４は２５℃（基準環境温度）のドロップ量を示すドロップ電圧の変化量Ｖｂは、Ｖｂ＝ＥＶＣＣ３．３×｛（ＲＨ＋ＲＢ）／（ＲＡ＋ＲＨ＋ＲＢ）｝として求めることができる。ここで、ＲＡはバイアス抵抗Ａの抵抗値、ＲＢはバイアス抵抗Ｂの抵抗値、ＲＨはサーミスタ１６の抵抗値である。
【００２４】
＜実施形態２＞  
上記実施形態２では電圧ドロップ検出回路のバイアス抵抗部に抵抗値が温度に依存するサーミスタを設けたことにより、温度環境に応じた終止検出を可能としたが、温度環境に応じた終止検出方法はこれに限定されない。  
本実施形態では、温度センサ７０を設け、図６の電池駆動電源装置にサブマイコンに環境温度の検出値を入力すると共に、電圧ドロップ検出回路のバイアス抵抗部に、バイアス抵抗Ｃ、Ｄ、Ｅを追加し、更にバイアス抵抗Ｃ、Ｄ、Ｅの接続を切替えるバイアス抵抗切替えスイッチを設け、温度センサによる検出値に基づいてマイコンの制御によりバイアス抵抗切替えスイッチをオン／オフさせてバイアス抵抗値を変化させることにより電圧ドロップ検出量を変化させ、環境温度で電池の特性に適した終止検出を可能とする。
【００２５】
図３は本実施形態に係わる単三電池駆動電源装置の一実施例を示す図であり、点線枠内の部分が電圧ドロップ検出回路２０を構成しており、電圧ドロップ検出回路２０において、記号１１はバイアス抵抗Ａ、記号１３はバイアス抵抗Ｃ、記号１４はバイアス抵抗Ｄ、記号１５はバイアス抵抗Ｅ、記号１６はカップリングコンデンサ、記号１８はバイアス抵抗切替えスイッチ、記号１９は電圧検出器、記号Ｖｃ１〜Ｖｃ４はバイアス抵抗Ａと、バイアス抵抗Ｂ、Ｄ、Ｅの組み合わせ、とによって点ｊに与えられるバイアス電圧を示す。また、バイアス抵抗Ａ、Ｃ、Ｄ、Ｅは理想電圧源（EVCC3.3）とグランドの間に直列に設けられており、バイアス抵抗Ｂ、Ｄ、Ｅはマイコン４０によってオン／オフ制御されるバイアス抵抗切替えスイッチ１８−１、１８−２によって組み合わせを変化させることができる。  
【００２６】
図４はバイアス抵抗制御用テーブルの一実施例を示す図であり、バイアス抵抗制御用テーブル８０はバイアス抵抗切替えスイッチ１８−１、１８−２のオン／オフに応じたバイアス抵抗Ｃ、Ｄ、Ｅの組み合わせとバイアス抵抗Ａとによって点jに生じるバイアス電圧Ｖｃ１〜Ｖｃ４に温度（温度範囲）を対応付けたテーブルであって、マイコン４０のメモリに予め登録（記憶）されている。
【００２７】
図４で、記号８１は温度の範囲を記憶した温度欄、記号８２は温度欄８１の範囲の検出温度に対応するバイアス抵抗切替えスイッチ１８−１、１８−２のオン／オフ設定値を記憶したスイッチ設定欄を意味する。なお、バイアス抵抗制御用テーブル８０のテーブル定数として終止検出用プログラムに組み込むようにしてもよい。
【００２８】
温度センサ７０が環境温度を検出してサブマイコン５０に入力すると、サブマイコン５０は検出値をデジタル化してマイコン４０に送り、マイコン４０はバイアス抵抗制御用テーブル８０を参照し、検出された温度に対応するバイアス抵抗切替えスイッチ１８−１、１８−２のオン／オフの組み合わせを用いて、電圧ドロップ検出回路２０が現在の温度環境に適合した電圧ドロップの変化量Ｖｃを検出できるようにバイアス抵抗切替えスイッチ１８−１、１８−２をオン／オフ制御する。
【００２９】
なお、図４の例で、バイアス抵抗制御用テーブル８０の温度欄８１の温度範囲を２５℃以上、１５℃以上〜２５℃未満、５℃以上〜１５℃未満、５℃未満としたが、温度範囲はこの例に限定されない。つまり、理論値または実測値に基づく近似値、或いは経験値によって予め決定しバイアス抵抗切替えスイッチ１８−１、１８−２のオン／オフの組み合わせに対応付けてバイアス抵抗制御用テーブル８０に登録することができる。
【００３０】
図５は本実施形態に係わる単三電池駆動電源装置のバッテリ終止検出時の動作例を示すフローチャートであり、以下に示す処理は基本的にマイコン４０が予めフラッシュメモリ等のプログラムメモリに記憶されたプログラムに従って実行するものである。以下、図３に示した単三電池駆動電源装置２００に本発明を適用した例について図３及び図４を基に説明する。
【００３１】
なお、図５のフローチャートでは基本的にマイコン４０に予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。
【００３２】
図５で、温度センサ７０は温度の検出信号をサブマイコン５０に入力し（ステップＳ１）、サブマイコン５０は温度センサ７０から受け取る温度信号（アナログ信号）をデジタル信号に変換すると共に所定温度単位（例えば、℃）の温度値として所定時間間隔ごとにマイコン４０に送信する（ステップＳ２）。
【００３３】
マイコン４０は、サブマイコン５０から受信した温度値をバイアス抵抗制御用テーブル８０の温度欄８１に記憶されている温度範囲と比較し、該当する温度範囲に対応付けられているスイッチ設定欄８２の値（バイアス抵抗切替えスイッチ１８−１、１８−２のオン／オフ値）を取得して（ステップＳ３）、電圧ドロップ検出回路２０のバイアス抵抗切替えスイッチ１８−１、１８−２をオン／オフ制御する（ステップＳ４）。
【００３４】
電圧ドロップ検出回路２０は、バイアス抵抗Ａと、バイアス抵抗切替えスイッチ１８−１、１８−２のオン／オフに応じたバイアス抵抗Ｃ、Ｄ、Ｅの組合わせとによって点jに生じるバイアス電圧Ｖｃと、電圧検出器１９の電圧検出値Vdetとの差分である電圧ドロップ検出量「Ｖｃ−Vdet」を設定し（ステップＳ５）、バイアス電圧Ｖｃと設定した電圧ドロップ検出量「Ｖｃ−Vdet」とを比較し、バイアス電圧Ｖｃ≧設定値の場合はステップＳ７に進み、バイアス電圧Ｖｃ＜設定値の場合はステップＳ１に戻る（ステップＳ６）。
【００３５】
バイアス電圧Ｖｃ≧設定値（電圧ドロップ検出量「Ｖｃ−Vdet」）の場合は、マイコン４０は電源終止部６０に信号を送って機器への電源電圧の供給を終止させる（ステップＳ７）。
【００３６】
上記図５のフローチャートに示した動作により、単三電池駆動電源装置２００は使用温度環境に応じてマイコン４０で電圧ドロップ検出回路２０におけるバイアス抵抗の抵抗値を制御して温度に応じて電圧ドロップ検出量「Ｖｃ−Vdet」を設定することができるので、低温環境下でも電池の特性に応じた終止電圧を検出することができることから、電池寿命を延ばすことができる。
【００３７】
なお、図３の例ではバイアス抵抗切替えスイッチ１８によって切替えられるバイアス抵抗をバイアス抵抗Ｃ、Ｄ、およびＥの３個としたがこれ以上設けるようにしてもよい。この場合、バイアス抵抗が１つ増すごとにバイアス抵抗切替えスイッチ１８を１つ追加し、バイアス抵抗制御用テーブル８０のスイッチの組み合わせに対応する温度の範囲を変更するようにすればよい。
【００３８】
また、図３の例では複数のバイアス抵抗をスイッチ制御することにより、バイアス抵抗値を可変にするようにしたが、検出された温度を基にマイコン４０で所定の計算式により点jで発生させたいバイアス抵抗値を求め、マイコン４０の制御により連続的にバイアス抵抗値が可変になるような可変バイアス抵抗素子を用い、その可変バイアス抵抗素子とバイアス抵抗Ａとによって点jに生ずるバイアス抵抗値を変化させることにより電圧ドロップ検出量を変化させ、環境温度で電池の特性に適した終止検出を行うようにしてもよい。このようにすると、検出された温度の変化に１対１に応じた終止検出を行うことができる。
【００３９】
（変形例）  
上記実施形態２では温度センサを用い、マイコン制御により電圧ドロップ検出量を変化させるようにしたが、さらにセットによる自動電池判別或いはユーザによる電池種別設定の結果と組み合わせることにより、各種電池の温度特性に適した電圧ドロップによる終止検出を行うことができる。
【００４０】
以上、本発明のいくつかの実施例について説明したが本発明は上記各実施例に限定されるものではなく、種々の変形実施が可能であることはいうまでもない。
【図面の簡単な説明】
【００４１】
【図１】実施形態１に係わる単三電池駆動電源装置の一実施例を示す図である。
【図２】実施形態１に係わる電圧ドロップの検出変化量温度特性を示す図である。
【図３】実施形態３に係わる単三電池駆動電源装置の一実施例を示す図である。
【図４】バイアス抵抗制御用テーブルの一実施例を示す図である。
【図５】実施形態３に係わる単三電池駆動電源装置のバッテリ終止検出時の動作例を示すフローチャートである。
【図６】単三電池駆動電源装置の従来例を示す図である。
【図７】単三電池の電池放電カーブの一例を示す図である。
【符号の説明】
【００４２】
１０、２０、３０  電圧ドロップ検出回路（バッテリ終止検出手段）
１１、１２、１３、１４、１５  バイアス抵抗
１７  サーミスタ（抵抗値制御手段）
１８−１、１８−２  バイアス抵抗切替えスイッチ（抵抗値制御手段、切替えスイッチ）
４０  マイコン（抵抗値制御手段、スイッチ制御手段）
５０  サブマイコン
７０  温度センサ（温度検出手段）
８０  バイアス抵抗制御用テーブル（抵抗値制御手段、スイッチ制御情報記憶手段）
１００、２００、３００  単三電池駆動電源装置
【図１】
2007157665.tif 000003
【図２】
2007157665.tif 000004
【図３】
2007157665.tif 000005
【図４】
2007157665.tif 000006
【図５】
2007157665.tif 000007
【図６】
2007157665.tif 000008
【図７】
2007157665.tif 000009